(57)【要約】      （修正有）【課題】利用者に用途及び使用方法が認知されやすい加湿シートを提供する。【解決手段】加湿シート１０は、吸水性を有するシート状の不織布で構成されており、下端部に設けられ水を吸い上げることが可能な吸水部１１と、吸水部から吸い上げられた水を自然気化して大気に放出する放出部１２とを備える。吸水部及び放出部の少なくとも一方には、加湿シートを加湿器として用いることが記された記事部１１Ａが印刷されている。定型の封筒に封入可能な大きさに外形が形成されているのが好ましい。表面に図柄が印刷されていてもよい。また表面に所定形状に切り取ることを示す切取線１２Ａが印刷されているのが好ましい。【選択図】図１
0003189183.tif 000002
【実用新案登録請求の範囲】
【請求項１】
吸水性を有するシート状の不織布で構成された加湿シートであって、
下端部に設けられ水を吸い上げることが可能な吸水部と、
当該吸水部から吸い上げられた水を自然気化して大気に放出する放出部とを備え、
前記吸水部及び前記放出部の少なくとも一方には、前記加湿シートを加湿器として用いることが記された記事部が印刷されている
ことを特徴とする加湿シート。
【請求項２】
請求項１に記載の加湿シートにおいて、
定型の封筒に封入可能な大きさに外形が形成されている
ことを特徴とする加湿シート。
【請求項３】
請求項１又は請求項２に記載の加湿シートにおいて、
表面に図柄が印刷されている
ことを特徴とする加湿シート。
【請求項４】
請求項１乃至請求項３の何れかに記載の加湿シートにおいて、
表面に所定形状に切り取ることを示す切取線が印刷されている
ことを特徴とする加湿シート。
【請求項５】
請求項１乃至請求項４の何れかに記載の加湿シートにおいて、
前記記事部は前記吸水部に印刷されている
ことを特徴とする加湿シート。
【考案の詳細な説明】
【技術分野】
【０００１】
本考案は、自然気化式の加湿器として用いられる加湿シートに関する。
【背景技術】
【０００２】
自然気化式の加湿器として用いられる従来の加湿シートとして、例えば特許文献１に記載されたものが知られている。特許文献１の加湿シートは、上下の端部に設けられ幅方向を長辺とする長方形の第１，第２のシート片と、それらを結び高さ方向に延びる複数の帯状の加湿シート片とを備える。これらの第１，第２のシート片及び加湿シート片は、同一の平面上に一体に構成されている。加湿シートを平面視すると、第１，第２のシート片を上底、下底とする略台形に形成されている。
【０００３】
この加湿シートを自然気化式の加湿器として用いるためには、加湿シートを組み立てる必要がある。加湿シートの組み立て手順は以下の通りである。まず、第２のシート片を円環状に湾曲させて内輪部分を作る。次に、加湿シート片に折り目が付かないようにしながら第１のシート片を第２のシート片に重ねるように加湿シート片を曲げる。これにより、加湿シート片がループ状になる。そして、内輪部分を外側から覆うように第１のシート片を円環状に湾曲させて外輪部分を作る。このようにして加湿シートが組み立てられる。組み立てられた加湿シートは、水をいれた容器に内輪部分と外輪部分とが浸される。加湿シートは、内輪部分と外輪部分とから容器内の水を吸い上げて、湾曲した加湿シート片の表面から自然気化した水を大気に放出する。
【先行技術文献】
【特許文献】
【０００４】
【特許文献１】実用新案登録第３１６８３５４号公報
【０００５】
特許文献１の加湿シートは、上述のように組み立て作業が必要とするものであるが、加湿シートをそのように形成することなく、例えば短冊状に形成された一枚の加湿シートであっても、その一端を水に浸すだけで自然気化式の加湿器として十分に機能する。
しかしながら、単なる短冊状の加湿シートは、一見するとただの不織布シートなので、何も知らない人が見ただけでは、その用途を理解することができないし、使用方法も理解することができない。したがって、加湿シートを加湿器に用いることできるという有用性が理解されずに、加湿シートがそのまま廃棄されてしまうおそれがある。
【０００６】
そこで、加湿シートの用途及びその使用方法を理解するためには説明書が必要となるが、説明書は加湿シートの組み立て後に不要となり、ごみとして処分されることとなる。このため、電気を使用しない環境にやさしい自然気化式の加湿器であることを特徴とする一方で、ごみを発生させる原因となっており、矛盾が生じている。
【考案の概要】
【考案が解決しようとする課題】
【０００７】
本考案の目的は、利用者に用途及び使用方法が認知され易く、かつ極めて簡易な加湿シートを提供することにある。
【課題を解決するための手段】
【０００８】
上記目的を達成するため、本考案に係る加湿シートは、吸水性を有するシート状の不織布で構成された加湿シートであって、下端部に設けられ水を吸い上げることが可能な吸水部と、当該吸水部から吸い上げられた水を自然気化して大気に放出する放出部とを備え、前記吸水部及び前記放出部の少なくとも一方には、前記加湿シートを加湿器として用いることが記された記事部が印刷されていることを特徴とする。
【０００９】
本考案に係る加湿シートによれば、吸水部及び放出部の少なくとも一方に記事部が印刷され、記事部には加湿シートを加湿器として用いることが記されているので、加湿シートを加湿器として用いることを利用者に認知させることができる。それにより、その有用性が知られないまま加湿シートが廃棄されることを防止できる。また、記事部が印刷されていることで、十分にその用途や使用方法が理解されるため、短冊状といった簡易な構造の加湿シートを実現できる。
【００１０】
本考案に係る加湿シートにおいて、定型の封筒に封入可能な大きさに外形が形成されていることが好ましい。
加湿シートが定型の封筒に封入可能な大きさに外形が形成されているので、ダイレクトメールに同封される販促品として好適である。
【００１１】
本考案に係る加湿シートにおいて、表面に図柄が印刷されていることが好ましい。
例えば、図柄として広告が表面に印刷されている場合には、加湿シートは広告媒体として広告機能を発揮することができ、図柄として絵や模様が表面に印刷されている場合には、加湿シートは審美性を発揮することができる。
【００１２】
本考案に係る加湿シートにおいて、表面に所定形状に切り取ることを示す切取線が印刷されていることが好ましい。
加湿シートを所定形状に切り取ることにより、加湿シートにデザイン性を付与することができる。また、表面に切取線が印刷されているので、切取線に沿って切るだけで、加湿シートを所望の形状に形成することができる。
【００１３】
本考案に係る加湿シートにおいて、前記記事部は前記吸水部に印刷されていることが好ましい。
記事部が吸水部に印刷されていることで、加湿シートが加湿器として用いられているときには、記事部が水に隠れるため、加湿シートの審美性を維持することができる。
【図面の簡単な説明】
【００１４】
【図１】本考案の一実施形態に係る加湿シートの平面図。
【図２】記事部の拡大図。
【考案を実施するための形態】
【００１５】
以下、本考案の一実施形態に係る加湿シート１０を図１及び図２を参照しながら説明する。加湿シート１０は、シート状に形成された吸水性を有するポリエステル系の不織布から成る。加湿シート１０は、平面視において長方形に形成されており、そのサイズは、例えば、縦：２２０ｍｍ×横：１１０である。このサイズは、封筒種類「洋０」の洋封筒（縦：１２０ｍｍ×縦：２３５ｍｍ）に封入可能な大きさとなっている。
【００１６】
加湿シート１０を構成する不織布は、毛細管現象により水を吸い上げることが可能な毛細管構造を有する。不織布は抗菌、防カビ仕様になっている。加湿シート１０の表面は、通常のインクジェットプリンタで文字、絵（写真）、模様、色彩等を印刷することが可能に構成されている。本実施形態では、図柄として小動物のキャラクタが印刷されている。なお、印刷の種類としてはインクジェット方式の印刷に限られるものではなく、例えば、シルク印刷やオフセット印刷やグラビア印刷であってもよい。
【００１７】
加湿シート１０は、吸水部１１と放出部１２とを備えている。吸水部１１は記事部１１Ａを有し、記事部１１Ａには後述する加湿シート１０を自然気化式の加湿器として用いる際の使用方法や使用態様を表す図等が印刷されている。記事部１１Ａに記載の使用方法は、例えば以下の通りである。
【００１８】
『電気要らずで環境に優しい
エコで簡単！エコ加湿器
エコ加湿器
（１）ピンク色のラインに沿ってハサミなどで切ります。
（２）コップのサイズに合わせて長さを調整します。
（３）コップに水を半分ほど入れ、エコ加湿器を差したら完成。
自然気化式なので、過剰な加湿による、結露やカビなどの発生を抑えます！』
【００１９】
以下、記事部１１Ａの記事に基づいて、加湿シート１０の使用方法を説明する。放出部１２にはピンクのラインが記されている。このピンクのラインがキャラクタの輪郭に沿って切り取ることを示す切取線１２Ａになっている。利用者は切取線１２Ａに沿って放出部１２の外周をカットすることにより、放出部１２の外形が印刷されたキャラクタの形になる。
【００２０】
次に、水及びその水を注ぐための容器を用意する。本実施例では容器としてコップを用いているが、容器は、加湿シート１０を立てて入れることができる安定した容器であればよく、コップに限定されない。次に、加湿シート１０の全長の４分の１〜３分の１程度の水位になるまでコップに水を注ぐ。
【００２１】
そして、水が入ったコップに加湿シート１０を吸水部１１側（下側）から入れて、加湿シート１０を立てる。それから一定の時間が経過すると、放出部１２の表面から加湿シート１０の内部を毛細管現象により吸い上げられた水が気化して大気に放出されて、加湿器の周囲が加湿される。スチーム式加湿器のスチームと異なり、加湿シート１０から気化する水分は目に見えない。
【００２２】
なお、加湿シート１０をコップ内に入れなくてもコップ内の水の表面から水分が気化するが、本考案者が行った実験では、加湿シート１０をコップ内に入れることで、蒸発量が大幅に増加した。すなわち、加湿能力が大幅に向上した。
【００２３】
加湿シート１０による加湿器は自然気化式なので、電気で加熱するタイプの加湿器と異なり、周囲の湿度に応じた加湿が行われる。このため、加湿が過剰に行われることがなく、結露やカビの発生を防止できる。
【００２４】
前述したように、加湿シート１０は「洋０」の洋封筒に封入可能なサイズに形成されている。「洋０」の洋封筒はＡ４サイズの用紙を三つ折りにして封入することを想定したものなので、三つ折りにしたＡ４サイズの広告や六つ折りにしたＡ３サイズの広告とともに加湿シート１０を送付することが可能である。
【００２５】
上述した本実施形態の加湿シート１０によれば、以下の効果がある。
吸水部１１に記事部１１Ａが印刷され、記事部１１Ａには加湿シート１０を加湿器として用いることが記されているので、加湿シート１０を加湿器として用いることを利用者に認知させることができる。それにより、その有用性が知られないまま加湿シート１０が廃棄されることを防止できる。
【００２６】
説明書が別個に設けられている場合には、使用後の不要となった説明書がごみとなってしまうが、加湿シート１０によれば記事部１１Ａが印刷されているので、そのようなことが回避され、ごみの減量化を図ることができ、環境保全に寄与することができる。
【００２７】
表面に図柄が印刷されているので、例えば、図柄として広告が表面に印刷されている場合には、加湿シート１０は広告媒体として広告機能を発揮することができる。さらに、加湿シート１０の外形が定型郵便として送付可能な「洋０」の洋封筒に封入可能な大きさに形成されているので、封書型ダイレクトメールとして送付するのに最適である。
【００２８】
図柄としてキャラクタが印刷されている場合には、加湿シート１０は癒し効果を発揮することができる。
【００２９】
加湿シート１０の表面に所定形状に切り取ることを示す切取線１２Ａが印刷されているので、切取線１２Ａに沿って切るだけで、加湿シート１０を所望の形状に形成することができる。
【００３０】
記事部１１Ａが吸水部１１に印刷されているので、加湿シート１０が加湿器として用いられているときには、記事部１１Ａが水に隠れることとなり、加湿シート１０の審美性を守ることができる。また、注目をキャラクタに集めることができる。
【００３１】
なお、本考案を実施するための最良の構成、方法などは、以上の記載で開示されているが、本考案は、これに限定されるものではない。すなわち、本考案は、主に特定の実施形態に関して特に図示され、かつ説明されているが、本考案の技術的思想および目的の範囲から逸脱することなく、以上述べた実施形態に対し、形状、その他の詳細な構成において、当業者が様々な変形を加えることができるものである。
したがって、上記に開示した形状などを限定した記載は、本考案の理解を容易にするために例示的に記載したものであり、本考案を限定するものではないから、それらの形状などの限定の一部もしくは全部の限定を外した部材の名称での記載は、本考案に含まれるものである。
【００３２】
例えば、実施形態では、ポリエステル系の不織布が用いられているが、吸水性を有する不織布であればよく、レーヨン系やポリプロピレン系の一般的な不織布であってもよく、使用済みのペットボトルから再生された不織布でもよい。
【００３３】
また、実施形態では記事部１１Ａに使用方法を示す文字と使用態様を示す図の両方が印刷されていたが、記事部１１Ａにより利用者に加湿シート１０を加湿器として用いることを理解してもらえれば、記事部の内容は実施形態と異なるものであってもよい。記事部１１Ａに文字と図との何れか一方だけが印刷されていてもよい。
【００３４】
また、実施形態では加湿シート１０にイラストが印刷されていたが、加湿シート１０に印刷されるものはこれに限られず、例えば、カレンダーや案内表示を印刷してもよく、下記変形例のように広告を印刷してもよい。
【００３５】
なお、加湿シート１０のサイズは前述したもの限られない。加湿シート１０を広告や販促品として用いる場合には、様々な配布方法が想定されるため、その配布方法に応じたサイズに加湿シート１０を形成すればよい。以下に各種の配布方法に応じたサイズの加湿シート１０を変形例として示す。ただし、図示は省略する。
【００３６】
（変形例１）
変形例１の加湿シート１０は、官製はがきサイズ（縦：１４８ｍｍ×横：１００ｍｍ）に形成されている。変形例１の加湿シート１０は、裏面（切手を貼付するのと反対側の面）に記事部１１Ａ及び広告が印刷されている。官製はがきサイズとしたことで、上述した「洋０」の洋封筒サイズのものよりも安く郵送することができる。官製はがきサイズで届く広告（いわゆるはがき型ダイレクトメール）は一読後に廃棄されるケースが多い。しかし、ダイレクトメールが加湿器となり送付先の手元に残ることで、その広告機能を引き続き発揮させることができる。
【００３７】
（変形例２）
変形例２の加湿シート１０は、名刺サイズ（縦：９１ｍｍ×横：５５ｍｍ）に形成されている。変形例２の加湿シート１０は、裏面（会社名、氏名、連絡先等が記載された側と反対側の面）に記事部１１Ａが印刷されている。近年においては、取引先や客先情報は電子データ上で管理されることが多く、データを入力済みの名刺は廃棄されることもある。しかし、名刺が加湿器となり名刺を渡した相手の手元に用いてもらうことで、客先や取引先の目に留まる機会を確保でき、企業名・個人名を認知させることができる。名刺の裏面に広告を印刷してもよい。
【００３８】
（変形例３）
変形例３の加湿シート１０は、ポケットティッシュに封入されるラベルのサイズ（縦：１０４ｍｍ×横：７３ｍｍ）に形成されている。変形例３の加湿シート１０は、表面（ティッシュに封入された状態で視認可能な側の面）に記事部１１Ａが印刷されており、表面に広告が印刷されている。ポケットティッシュの中身を使い切ったときには、役目を終えたとして、ラベルは袋とともに廃棄されるのが通常である。しかし、ラベルが加湿器となることで、ポケットティッシュの中身を使い切った後も広告機能を維持することができる。なお、大きなサイズの加湿シート１０をラベルサイズに折畳んでポケットティッシュに封入してもよい。
【００３９】
なお、前述の実施形態及び変形例１〜３の加湿シート１０は何れも一枚のシートであるが、２枚折りや３枚折りのものでもよく、ジャバラ状に折り畳まれるものであってもよい。
【産業上の利用可能性】
【００４０】
本考案は、自然気化式の加湿器として用いられる加湿シートに利用可能である。
【符号の説明】
【００４１】
１０…加湿シート、１１…吸水部、１１Ａ…記事部、１２…放出部、１２Ａ…切取線。
【図１】
0003189183.tif 000003
【図２】
0003189183.tif 000004